(57)【要約】【課題】  本発明は、基礎型枠の下端を同一直線上に配列固定することを可能とした基礎型枠の施工方法および基礎型枠の取り付け構造を提供することを目的とするものである。【解決手段】  本発明は、ベースコンクリート層１上面に配置される基礎型枠受け部３と、この基礎型枠受け部３内に直線上にその下端が嵌め入られる基礎型枠２と、基礎型枠受け部３と基礎型枠２の下端をベースコンクリート層１に固定する押さえ板４とから構成されるものである。【選択図】        図７
2005248443.tif 000002
【特許請求の範囲】
【請求項１】
ベースコンクリート上に所定間隔を設けて立ち上げられる基礎型枠と、基礎型枠の間隔を保持するセパレータを備える基礎型枠の施工方法において、
ベースコンクリート上に１スパン長さの基礎型枠受け部を配置する工程と、
該基礎型枠受け部内に複数の基礎型枠の下端を同列状に配列する工程と、
該基礎型枠受け部と基礎型枠下端とをベースコンクリート上の定位置に仮止めする工程を備える
ことを特徴とする基礎型枠の施工方法。
【請求項２】
前記基礎型枠受け部と基礎型枠下端との仮止めが、ベースコンクリート上に釘により固定される押さえ片部によってされる
ことを特徴とする請求項１記載の基礎型枠の施工方法。
【請求項３】
前記基礎型枠の上端に１スパン長さの基礎型枠冠体部を嵌入する
ことを特徴とする請求項１または２記載の基礎型枠の施工方法。
【請求項４】
基礎型枠受けスペーサーによって基礎型枠を空中状に支持して立ち上げるベタ基礎一体打ち基礎型枠の施工方法において、
捨てコンクリート層上に配列する基礎型枠受けスペーサー上に１スパン長さの基礎型枠受け部を配置する工程と、
該基礎型枠受け部内に複数の基礎型枠の下端を同列状に配列する工程を備える
ことを特徴とする基礎型枠の施工方法。
【請求項５】
ベースコンクリート上に所定間隔を設けて立ち上げられる基礎型枠と、基礎型枠の上端にその間隔を保持するために設置されるセパレータを備える基礎型枠において、
ベースコンクリート上に、複数の基礎型枠の下端が同列状に配置される１スパン長さの基礎型枠受け部と、
該基礎型枠受け部と基礎型枠下端とがベースコンクリート上の定位置に仮止め可能とされる固定手段を備える
ことを特徴とする基礎型枠の取り付け構造。
【請求項６】
前記固定手段が、ベースコンクリート上に釘により固定される押さえ片部からなる
ことを特徴とする請求項４記載の基礎型枠の取り付け構造。
【請求項７】
前記基礎型枠の上端に１スパン長さの基礎型枠冠体部を嵌入する
ことを特徴とする請求項４または５記載の基礎型枠の取り付け構造。
【請求項８】
基礎型枠を基礎型枠受けスペーサーによって空中状に支持して立ち上げるベタ基礎一体打ち基礎型枠において、
捨てコンクリート層上に配列される基礎型枠受けスペーサー上に配置される１スパン長さの基礎型枠受け部と、
その下端が前記基礎型枠受け部内に同列状に嵌入される複数の基礎型枠を備える
ことを特徴とする基礎型枠の取り付け構造。
【発明の詳細な説明】
【技術分野】
【０００１】
本発明は、基礎型枠の施工方法および基礎型枠の取り付け構造に関する。詳しくは、住宅施工の基礎工事におけるコンクリートベース上に配置される基礎型枠の施工方法およびその取り付け構造に係るものである。
【背景技術】
【０００２】
現在の一般的な住宅施工の基礎工事は、図１１に示すように、栗石１０１を被覆して形成された捨てコンクリート層（以下、「ベースコンクリート」と称呼する。）１０２の上面に金属製の基礎型枠１０３を一定間隔設けて連続し立ち上げ、この基礎型枠１０３内にコンクリートを流し込み養生することで基礎コンクリートが構築されるものである。
【０００３】
そこで前記基礎型枠１０３の下端は、ベースコンクリート１０２上面に位置決めされた後に基礎型枠１０３下端面に穿孔される釘穴１０４よりベースコンクリート１０２内へ釘１０５を打ち込んで固定し、基礎型枠１０３上端にはセパレータ１０６を取り付けて基礎型枠１０４間を保持し、サポート１０７によって基礎型枠１０３の位置決めを行うものである。
【０００４】
更に、図１２に示すように配列される基礎型枠１０３の外側面にフック部１０８を所定間隔ごとに取り付け、このフック部１０８に角鋼管１０９を嵌め込むことにより各基礎型枠１０３を同一列面状に固定するものである。
【０００５】
また、この種の基礎型枠の施工方法として図１３に示すような発明がある。この基礎型枠の施工方法は、捨てコンクリート上にピース状の位置決め定規１１０を釘止めによって設置しておき、この位置決め定規１１０のピース１１１間に型枠１１２を落とし込んで型枠１１２の設置を行う構成とする（例えば、特許文献１参照。）。
【０００６】
【特許文献１】特開平５−２１４７３４号公報（実施例、第１図）
【発明の開示】
【発明が解決しようとする課題】
【０００７】
ここで、前述した図１１に示す一般的な基礎工事では、基礎型枠の下端を釘によって固定するために、釘をハンマーなどによって非常に窮屈な状態で、かつピンポイントで打ち込むことが要求され、非常に煩雑な作業となるとともに、失敗時には基礎型枠の端部を打ち付けて変形するなどの問題がある。
【０００８】
また、基礎型枠の下端を固定する場合には、一列状に配列される基礎型枠の下端内面が同一直線上となるように固定しないと、図１２に示すように角鋼管により強制的に同一列状とした場合でもあっても基礎型枠を取り外した場合には基礎コンクリート側面に段差ができる場合がある。
【０００９】
一方、前述した図１３に示す基礎型枠の施工方法では、捨てコンクリート上面に位置決め定規を所定間隔ごとに釘等によって固定し、この位置決め定規と共に基礎型枠を立ち上げるものであり、基礎型枠内にコンクリートを打設した際には位置決め定規はコンクリートに埋設されることになり、大量の位置決め定規が消費されることになり、非常なコスト高となる問題がある。
【００１０】
また、基礎型枠間隔は一定ではなく数種の間隔長さがあるために、その間隔長さに応じた位置決め定規を用意しなければならず、更に施工後の基礎コンクリートは所定間隔ごとに、その底部が位置決め定規によって分離され、位置決め定規の腐食などによって強度が低下するなどの問題が想定される。
【００１１】
本発明は、以上の点に鑑みて創案されたものであって、基礎型枠の下端を同一直線上に配列固定することを可能とした基礎型枠の施工方法および基礎型枠の取り付け構造を提供することを目的とするものである。
【課題を解決するための手段】
【００１２】
上記の目的を達成するために、本発明に係る基礎型枠の施工方法は、ベースコンクリート上に所定間隔を設けて立ち上げられる基礎型枠と、基礎型枠の間隔を保持するセパレータを備える基礎型枠の施工方法において、ベースコンクリート上に１スパン長さの基礎型枠受け部を配置する工程と、該基礎型枠受け部内に複数の基礎型枠の下端を同列状に配列する工程と、該基礎型枠受け部と基礎型枠下端とをベースコンクリート上の定位置に仮止めする工程を備える。
【００１３】
ここで、ベースコンクリート上に１スパン長さの基礎型枠受け部を配置し、この基礎型枠受け部内に複数の基礎型枠の下端を嵌め入れることで基礎型枠の下端が直線上に配列することが可能となる。そして基礎型枠受け部と基礎型枠下端とをベースコンクリート上の定位置に、押さえ板と釘によって仮固定することで容易に基礎型枠の施工を行うことが可能となり、かつ基礎型枠の取り外しの場合には前記押さえ板をベースコンクリートより取り外すことで基礎型枠受け部と基礎型枠を同時に取り外すことが可能となる。
【００１４】
また、基礎型枠の上端に１スパン長さの基礎型枠冠体部を嵌め入れることで複数枚の基礎型枠の上端が直線上に配列することが可能となり、これにより基礎型枠の下端および上端が直線上に配列されることから各基礎型枠内面が同一面状に配列され、角鋼管の取り付けが不要となる。
【００１５】
また、上記の目的を達成するために、本発明に係る基礎型枠の取り付け構造は、ベースコンクリート上に所定間隔を設けて立ち上げられる基礎型枠と、基礎型枠の上端にその間隔を保持するために設置されるセパレータを備える基礎型枠において、ベースコンクリート上に、複数の基礎型枠の下端が同列状に配置される１スパン長さの基礎型枠受け部と、
該基礎型枠受け部と基礎型枠下端とがベースコンクリート上の定位置に仮止め可能とされる固定手段を備える。
【００１６】
ここで、ベースコンクリート上に配置される１スパン長さの基礎型枠受け部内に複数の基礎型枠の下端を嵌め入れることで基礎型枠の下端が直線上に配列することが可能な構造となり、かつ押さえ板と釘によって基礎型枠受け部と基礎型枠下端とをベースコンクリート上の定位置に仮固定することで容易に基礎型枠の立ち上げを行うことが可能となる。
【００１７】
また、基礎型枠の上端に１スパン長さの基礎型枠冠体部を嵌め入れた構造とすることにより、基礎型枠の下端および上端が直線上に配列されることで各基礎型枠内面が同一面状となる。
【００１８】
また、上記の目的を達成するために、本発明に係る基礎型枠の施工方法は、基礎型枠受けスペーサーによって基礎型枠を空中状に支持して立ち上げるベタ基礎一体打ち基礎型枠の施工方法において、捨てコンクリート層上に配列する基礎型枠受けスペーサー上に１スパン長さの基礎型枠受け部を配置する工程と、該基礎型枠受け部内に複数の基礎型枠の下端を同列状に配列する工程を備える。
【００１９】
ここで、基礎型枠受けスペーサーによって基礎型枠受け部を空中上に支持し、この基礎型枠受け部内に複数の基礎型枠の下端を嵌め入れることで基礎型枠の下端が直線上に配列することが可能となると共に基礎型枠受けスペーサーの配置数を大幅に減らすことが可能となる。
【００２０】
また、上記の目的を達成するために、本発明に係る基礎型枠を基礎型枠受けスペーサーによって空中状に支持して立ち上げるベタ基礎一体打ち基礎型枠において、捨てコンクリート層上に配列される基礎型枠受けスペーサー上に配置される１スパン長さの基礎型枠受け部と、その下端が前記基礎型枠受け部内に同列状に嵌入される複数の基礎型枠を備える。
【００２１】
ここで、捨てコンクリート上に配置される基礎型枠受けスペーサーによって１スパン長さの基礎型枠受け部を支持し、この基礎型枠受け部内に複数の基礎型枠の下端を嵌め入れることで基礎型枠の下端が直線上に配列することが可能な構造となる。
【発明の効果】
【００２２】
本発明の基礎型枠の施工方法および基礎型枠の取り付け構造では、基礎型枠の下端を直線上に配列することが可能となり、かつコンクリートベース上への固定が基礎型枠を傷つけることなく容易に行うことができ、基礎型枠の施工の効率化が図れる。
【００２３】
また、基礎型枠の上端に基礎型枠冠体部を嵌め入れて基礎型枠の下端および上端が直線上に配列されることで、基礎型枠を取り外した後の基礎コンクリート側面が段差のない仕上がりとなり、かつ従来の角鋼管の取り付けが不要となるものである。
【００２４】
また、ベタ基礎一体打ち基礎型枠の施工では、基礎型枠受けスペーサーによって１スパン長さの基礎型枠受け部を支持し、この基礎型枠受け部内に基礎型枠を同一線上に配列させることにより、従来のように各基礎型枠を支持するための基礎型枠受けスペーサーを必要とせず、大幅に本数を減らすことが可能となる。
【発明を実施するための最良の形態】
【００２５】
以下、本発明の実施の形態を図面を参酌しながら説明し、本発明の理解に供する。
図１は、本発明を適用した基礎型枠の施工方法の一例を説明するための斜視図、図２は基礎型枠を立ち上げるための初期段階における側面断面説明図である。
【００２６】
ここで示す基礎型枠の施工は、栗石Ａを被覆して形成されたベースコンクリート層１上面に対して、基礎型枠２の立ち上げ位置を決めるための墨付け等が行われる。この墨付け線に沿って１スパン長さの基礎型枠受け部３を配置するものである。
【００２７】
この基礎型枠受け部３は図３に示すように、１スパン長さ、即ち基礎型枠の使用場所に応じた一区間長さとした鋼板を基礎型枠の下端を嵌め入れる幅を有する断面凹部形状に折り曲げ形成するものである。
【００２８】
そこで基礎型枠受け部３内に、１スパン長さに応じた枚数の基礎型枠２の下端を嵌め入れて直線上に配列した後に、基礎型枠受け部３を墨付け線に合わせ、押さえ板４の先端爪部５によって各基礎型枠２下端と基礎型枠受け部３を押えた状態で押さえ板４に穿孔される釘穴６に釘７を差し込んでベースコンクリート層１上にハンマー等によって打ち込み固定するものである。
【００２９】
次に図４および図５に示すように、基礎型枠２の上端には、基礎型枠２間の間隔を保持するためのセパレータ８を所定間隔ごとに取り付け、更に１スパン長さの複数枚の基礎型枠２の外側面には角鋼管９を基礎型枠２の外側面に取り付けられるフック１０に嵌め入れて基礎型枠２を強制的に同一面状とするものである。
【００３０】
更に基礎型枠２の所定間隔ごとにアジャスター付きのサポート１１がベースコンクリート層１と基礎型枠２上端との間に設けられるものであり、このサポート１１によって立ち上げられる基礎型枠２を支承するとともにアジャスターを調整することにより基礎型枠２上端位置の調整を行うものである。
【００３１】
また、図６は本発明を適用した基礎型枠の取付け構造の一例を説明するための断面説明図である。
ここで示す基礎型枠の取付け構造は、前記本発明を適用した基礎型枠の施工方法の一例で詳述したように、ベースコンクリート層１上に配置された基礎型枠受け部３内に、１スパン長さに応じた枚数の基礎型枠２の下端を嵌め入れて直線上に配列した後に、基礎型枠受け部３を墨付け線に合わせ、押さえ板４の先端爪部５によって各基礎型枠２下端と基礎型枠受け部３を押えた状態で押さえ板４に穿孔される釘穴６に釘７を差し込んでベースコンクリート層１上にハンマー等によって打ち込み固定するものである。
【００３２】
そして各基礎型枠２の上端に対して、基礎型枠受け部と同様な長さおよび断面形状を有する基礎型枠冠体部１２を嵌め入れた後に、セパレータ８を所定間隔ごとに取り付けるものである。これにより基礎型枠２の上下端が基礎型枠受け部３および基礎型枠冠体部１２によって直線上に配列されることで各基礎型枠２の内面が同一面上に配列されることになり、角鋼管の取り付けが不要となる。
【００３３】
更に、サポート１１によって立ち上げられる基礎型枠２を支承するとともにアジャスターを調整することにより基礎型枠２上端位置の調整を行い基礎型枠の施工が完了する。
【００３４】
次に図７は、本発明の基礎型枠の取り付け構造の他の例を示す断面説明図である。
ここで示す基礎型枠の取り付け構造は、ベースコンクリート層１上面に配置される基礎型枠受け部３と、この基礎型枠受け部３内にその下端が嵌め入られる基礎型枠２と、基礎型枠受け部３と基礎型枠２の下端を固定する押さえ板４とから構成されるものである。
【００３５】
そこで基礎型枠受け部３は、前記基礎型枠の施工方法の一例で詳述したように、１スパン長さ、即ち基礎型枠の使用場所に応じた一区間長さとした鋼板を基礎型枠の下端を嵌め入れる幅を有するように断面が直角形状に折り曲げ形成されるものである。
【００３６】
また、押さえ板４は、前記基礎型枠の施工方法の一例で詳述したように、押さえ板４の先端爪部５によって各基礎型枠２下端と基礎型枠受け部３を押えた状態で押さえ板４に穿孔される釘穴６に釘７を差し込んでベースコンクリート層１上にハンマー等によって打ち込み固定するものである。
【００３７】
更に、各基礎型枠２の上端に対して、基礎型枠受け部と同様な長さおよび断面形状を有する基礎型枠冠体部１２を嵌め入れ、セパレータ８を所定間隔ごとに取り付けることで、基礎型枠２の上下端が基礎型枠受け部３および基礎型枠冠体部１２によって直線上に配列され、これにより各基礎型枠２の内面が同一面上に配列されることになり、角鋼管の取り付けが不要となる。
【００３８】
また、基礎型枠２の所定間隔ごとにアジャスター付きのサポート１１がベースコンクリート層１と基礎型枠２上端との間に設けられるものであり、立ち上げられた基礎型枠２の両側に設置されるサポート１１によって立ち上げられる基礎型枠２を支承するとともにアジャスターを調整することでサポート１１の長さを調整し、これにより基礎型枠２の上端位置を調整する構成とするものである。
【００３９】
次に図８は、ベースコンクリート層上にセパレート８を組み合わせによることによる基礎型枠の取り付け構造であり、ベースコンクリート層１上に１スパン長さの基礎型枠受け部３の間隔を保持するためにセパレート８を釘等によって固定し、このセパレート８の両側に基礎型枠２の下端幅を有する断面が直角形状に折り曲げ形成される基礎型枠受け部３を嵌め入れ、更に基礎型枠受け部３上に１スパン長さに応じた枚数の基礎型枠２を直線上に配列した後に、基礎型枠２の上端に基礎型枠冠体部１２を嵌め入れ、セパレータ８を所定間隔ごとに取り付けることで、基礎型枠２の上下端が基礎型枠受け部３および基礎型枠冠体部１２によって直線上に配列され、これにより各基礎型枠２の内面が同一面上に配列されることになり、角鋼管の取り付けが不要となる。
【００４０】
このようにセパレータ８と基礎型枠受け部３とを組み合わせることにより基礎型枠受け部３の位置決めと間隔保持が容易に行えると共に、使用するセパレータの数も１スパン長さの基礎型枠受け部に対して最小２〜３個でよく、従来のように各基礎型枠に対して１〜２個使用する取り付け構造とは作業性および経済性において優れた効果を得ることが可能となる。
【００４１】
図９および図１０は、本発明を適用したベタ基礎一体打ち基礎型枠の施工方法および基礎型枠の取り付け構造の一例を示すものである。
ここで、捨てコンクリート層１３上に所定間隔ごとに基礎型枠受けスペーサー１４が配置され、この基礎型枠受けスペーサー１４上の溝状係留部１５内に１スパン長さの基礎型枠受け部３を架設するものである。
【００４２】
そして前記基礎型枠受け部３内に１スパン長さに応じた枚数の基礎型枠２の下端を嵌め入れて直線上に配列した後に、基礎型枠２の上端に基礎型枠冠体部１２を嵌め入れ、セパレータ８を所定間隔ごとに取り付けることで、基礎型枠２の上下端が基礎型枠受け部３および基礎型枠冠体部１２によって直線上に配列され、これにより各基礎型枠２の内面が同一面上に配列されることになり、角鋼管の取り付けが不要となる。
【００４３】
このようにして立ち上げられた基礎型枠２内にコンクリートＢを打設することによりベタ基礎一体打ちが行えるものである。従ってコンクリートＢの養生後には基礎型枠受け部３を取り外すことで容易に基礎型枠２の回収が行えるものである。
【００４４】
ここで、本実施例では片方の基礎型枠を基礎型枠受けスペーサーによって空中上に支持するものであるが、この他に両方の基礎型枠を基礎型枠受けスペーサーによって空中上に支持する場合もあり、基礎型枠受けスペーサーも片方用、あるいは両方用によって種々の機構のものがあり、状況に応じて最も適した機構の基礎型枠受けスペーサーを採用するものである。
【００４５】
また、基礎型枠受け部内に一列上に配列された基礎型枠の上端に基礎型枠冠体部を嵌め入れない場合もあり、この場合には角鋼管を設けることにより同様な効果を得ることができるものである。
【００４６】
ここで示す基礎型枠受け部は必ずしも断面が溝形状、あるいは直角形状に折り曲げ形成される必要性は無く、基礎型枠の下端がズレないように固定されるものであればどのような形状のものであっても構わない。
【００４７】
なお、前記した基礎型枠の施工方法および基礎型枠の取り付け構造における基礎型枠受け部および基礎型枠冠体部は必ずしも鋼板により形成される必要性は無く、例えばアルミニウムなどの軽合金や硬質プラスチックなどいかなる素材により形成されるものであっても構わないが、基礎型枠の施工の都度使用し、かつハンマーなどからの衝撃を受けやすいことから耐久性・強度的に優れた鋼板を使用することが好ましい。
【００４８】
また、前記した基礎型枠の施工方法および基礎型枠の取り付け構造における基礎型枠受け部と基礎型枠下端の固定手段としては必ずしも押さえ板と釘による固定手段である必要性な無く、ハンマー等によって支障なく容易に打ち込むことができるものであれば、例えば予め基礎型枠受け溝部に釘穴が穿孔された突起片を設けて固定する手段であっても構わない。
【００４９】
本発明を適用した基礎型枠の施工方法では、基礎型枠受け部内に各基礎型枠の下端を一列状に嵌め込むことで、各基礎型枠の下端が直線上に配列され、その後に基礎型枠受け溝部を定位置で固定することで各基礎型枠の位置ずれがない状態での立ち上げが容易に行うことが可能となる。
【００５０】
また、押さえ板によって基礎型枠受け部および基礎型枠の下端をベースコンクリート上面に間接的に固定することで、従来のように基礎型枠の下端を釘によって直接的に固定する手段とは異なり、支障なくハンマーなどによる打ち込みが行えると共に、基礎型枠に損傷を与えることなく取り付け及び取り外しが可能となる。
【００５１】
また、基礎型枠の上端に基礎型枠冠体部を嵌め込むことで、各基礎型枠の上端が直線上に配列されることになり各基礎型枠の内面が位置ずれのない同一面上に形成される。従って角鋼管を基礎枠体の外側面に設ける必要性が無く、作業効率が非常に良くなる。
【図面の簡単な説明】
【００５２】
【図１】本発明を適用した基礎型枠の施工方法の一例を説明するための斜視図である。
【図２】図１における基礎型枠を立ち上げるための初期段階における側面断面説明図である。
【図３】本発明を適用した基礎型枠の施工方法における基礎型枠受け部の一例を示す説明図である。
【図４】本発明を適用した基礎型枠の施工方法の最終段階を示す平面説明図である。
【図５】図４における正面説明図である。
【図６】本発明を適用した基礎型枠の取付け構造の一例を説明するための側面断面図である。
【図７】本発明を適用した基礎型枠の取り付け構造の他の例を説明するための側面断面図である。
【図８】本発明を適用した基礎型枠の取り付け構造において基礎型枠受け部とセパレータを組み合わせた一例を示す説明図である。
【図９】本発明を適用したベタ基礎一体打ち基礎型枠の取り付け構造の一例を示す断面説明図である。
【図１０】図８における正面説明図である。
【図１１】従来の基礎型枠の施工方法の一例を説明するための側面断面図である。
【図１２】図８における正面説明図である。
【図１３】従来の基礎型枠の施工方法の他の例を説明するための側面断面図である。
【符号の説明】
【００５３】
１    ベースコンクリート層
２    基礎型枠
３    基礎型枠受け部
４    押さえ板
５    先端爪部
６    釘穴
７    釘
８    セパレータ
９    角鋼管
１０  フック
１１  サポート
１２  基礎型枠冠体部
１３  捨てコンクリート層
１４  基礎型枠受けスペーサー
１５  係留部
【図１】
2005248443.tif 000003
【図２】
2005248443.tif 000004
【図３】
2005248443.tif 000005
【図４】
2005248443.tif 000006
【図５】
2005248443.tif 000007
【図６】
2005248443.tif 000008
【図７】
2005248443.tif 000009
【図８】
2005248443.tif 000010
【図９】
2005248443.tif 000011
【図１０】
2005248443.tif 000012
【図１１】
2005248443.tif 000013
【図１２】
2005248443.tif 000014
【図１３】
2005248443.tif 000015